(57)【要約】    【課題】  本発明は、被験者が自己の感覚に基づき、被験者のみによって気楽に、かつ、正確に自己の頭部形状に適した枕に関する測定値を測定し得る測定器を提供することにある。    【解決手段】  本発明に係る頭部形状測定器Ａは、背もたれ部１１と座部１５とからなる椅子１０と、該椅子に設置する計測器２０とからなる椅子型の測定器であって、該計測器２０は、先端３１が身体の後頭部に接触する後頭部測定用進退軸３０と先端４１が身体の頸椎部に接触する頸椎部測定用進退軸４０と表示装置５０とを備え、各進退軸は、身体の後頭部及び身体の頸椎部を押圧する方向に付勢力が働き、各進退軸の基部には進退軸の変位を検知する位置検出器がそれぞれ配され、表示装置は、各位置検出器により検知された各進退軸の変位を電気信号に変換して被測定者の前方に映し出すように構成し、椅子の背もたれ部には各進退軸の先端が背もたれ部の前方に突出するように進退軸用貫通溝１２を形成してなるものである。【選択図】        図４
2005137597.tif 000002
【特許請求の範囲】
【請求項１】
背もたれ部と座部とからなる椅子と、該椅子に設置する計測器とからなる椅子型の測定器であって、
該計測器は、先端が身体の後頭部に接触する後頭部測定用進退軸と先端が身体の頸椎部に接触する頸椎部測定用進退軸と表示装置とを備え、
各進退軸は、身体の後頭部及び身体の頸椎部を押圧する方向に付勢力が働き、各進退軸の基部には進退軸の変位を検知する位置検出器がそれぞれ配され、
表示装置は、各位置検出器により検知された各進退軸の変位を電気信号に変換して被測定者の前方に映し出すように構成し、
椅子の背もたれ部には各進退軸の先端が背もたれ部の前方に突出するように進退軸用貫通溝を形成してなる
ことを特徴とする椅子型の頭部形状測定器。
【請求項２】
背もたれ部と座部とからなり、背もたれ部における身体の頭部当接位置付近に滑り止め材を配し、また、背もたれ部は起立状態から後方へ傾斜して停止する構造を備えてなることを特徴とする枕使用状態体感用椅子。
【請求項３】
請求項１に記載の頭部形状測定器によって得られた測定値に基づき、枕の品揃えを行うことを特徴とする枕の販売方法。
【発明の詳細な説明】
【技術分野】
【０００１】
本発明は、寝具としての枕を選択あるいは設計する際に使用するための頭部形状測定器及び該測定により得られた測定値に基づいて選択した枕をの使用状態を体感するための椅子に関する。
【背景技術】
【０００２】
昨今の健康志向の高まりに相応して寝具で重要な地位を占める枕への関心が非常に高まっている。その中において、適正な枕を選択あるいは設計するための測定器が種々使用されている。
【０００３】
例えば、身体の肩口から後頭部までの線を基準線にし、この基準線から頸椎までの深さを熟練者がノギス等で測定する方法、キャタピラー状の計測端子をベッド上から枕上まで配置し、その計測端子の上に被験者が寝て測定する方法などが行われている。
【発明の開示】
【発明が解決しようとする課題】
【０００４】
しかしながら、上記のような測定方法では、熟練者が必要であったり、正確には測定し得ない欠点がある。しかも、被験者のみで測定することはできず、係員が何らかの操作をしなければならない欠点がある。また、枕は身体の自然な状態における敷き布団と身体の後頭部及び敷き布団と身体の頸椎部とのそれぞれの隙間を埋めるために使用することを目的とするものであるから、身体の自然な状態における敷き布団と身体の後頭部との距離及び敷き布団と身体の頸椎部との距離を正確に測定することが最も重要であるが、従来の測定器においては、このような身体の自然な状態における敷き布団と身体の後頭部との距離及び敷き布団と身体の頸椎部との距離を正確に測定し得るものではなかった。
【０００５】
そこで、本発明は、被験者が自己の感覚に基づき、被験者のみによって気楽に、かつ、正確に自己の頭部形状に適した枕に関する身体の自然な状態における敷き布団と身体の後頭部との距離及び敷き布団と身体の頸椎部との距離を測定し得る測定器を開発し、その測定器により得られた測定値により選択した枕の使用状態を体感できる椅子を開発した。
【課題を解決するための手段】
【０００６】
本発明に係る椅子型の頭部形状測定器は、背もたれ部と座部とからなる椅子と、該椅子に設置する計測器とからなる椅子型の測定器であって、該計測器は、先端が身体の後頭部に接触する後頭部測定用進退軸と先端が身体の頸椎部に接触する頸椎部測定用進退軸と表示装置とを備え、各進退軸は、身体の後頭部及び身体の頸椎部を押圧する方向に付勢力が働き、各進退軸の基部には進退軸の変位を検知する位置検出器がそれぞれ配され、表示装置は、各位置検出器により検知された各進退軸の変位を電気信号に変換して被測定者の前方に映し出すように構成し、椅子の背もたれ部には各進退軸の先端が背もたれ部の前方に突出するように進退軸用貫通溝を形成してなることを特徴とするものである。
【０００７】
上記のように構成したことにより、被験者は椅子に座って測定できる。また、被験者は、椅子の背もたれ部から突出する後頭部測定用進退軸と先端と頸椎部測定用進退軸との先端を身体の後頭部及び頸椎部にあてがうと、各進退軸の変位、すなわち椅子の背もたれ部と後頭部との距離及び椅子の背もたれ部と頸椎部との距離に関する変位を表す表示が表示装置に表示される。
【０００８】
また、本発明に係る枕使用状態体感用椅子は、背もたれ部と座部とからなり、背もたれ部における身体の頭部当接位置付近に滑り止め材を配し、また、背もたれ部は起立状態から後方へ傾斜して停止する構造を備えてなるものを採用してもよい。
【０００９】
上記構成の枕使用状態体感用椅子を使用すれば、測定器により得られた測定値に基づいて選択した枕や適当な試験用枕を後頭部の後にあてがって背もたれ部を傾斜させてその枕の使用状態を体感できる。
【００１０】
また、上記の計測器付の椅子型の頭部形状測定器によって得られた測定値に基づき、枕の品揃えを行うようにすれば、被験者が自己の測定値に適した枕を選択することができ、さらに前記枕使用状態体感用椅子により、その枕の使用状態を体感できる。
【発明の効果】
【００１１】
本発明に係る椅子型の頭部形状測定器は、背もたれ部と座部とからなる椅子と、該椅子に設置する計測器とからなる椅子型の測定器であって、該計測器は、先端が身体の後頭部に接触する後頭部測定用進退軸と先端が身体の頸椎部に接触する頸椎部測定用進退軸と表示装置とを備え、各進退軸は、身体の後頭部及び身体の頸椎部を押圧する方向に付勢力が働き、各進退軸の基部には進退軸の変位を検知する位置検出器がそれぞれ配され、表示装置は、各位置検出器により検知された各進退軸の変位を電気信号に変換して被測定者の前方に映し出すように構成し、椅子の背もたれ部には各進退軸の先端が背もたれ部の前方に突出するように進退軸用貫通溝を形成したことにより、被験者は椅子に座って測定できるので、気楽に測定し得る利点があり、被験者のみで簡単に自己にとって適正な測定値を知ることができ、自己の適性な枕を選択することができる。また、この測定値によって被験者に合わせた適正な枕を設計することができる。
【００１２】
また、本発明に係る枕使用状態体感用椅子は、背もたれ部と座部とからなる椅子型の測定器であって、背もたれ部における身体の頭部当接位置付近に滑り止め材を配し、また、背もたれ部は起立状態から後方へ傾斜して停止する構造を備えてなるものを採用すれば、測定器により得られた測定値に基づいて選択した枕や適当な試験用枕を後頭部の後にあてがい、背もたれ部を傾斜させて枕の使用状態を体感し、その実際上の感触により該選択した枕や試験用枕が自己にとって適切な枕か否かを判断する。このように上記の計測器付の椅子型の頭部形状測定器を使用して適切な枕を選択し、本発明に係る椅子型の頭部形状測定器を使用して、自己にとって適性な枕であるか否かを判断する。通常、寝具等の販売店の店内では併設のベッド等に横になって枕の使用具合を試すことは人の目が気になり、よほどの勇気がなければ試すことができないのが実情である。本発明に係る枕使用状態体感用椅子は、比較的に容易に試すことができ、実際に試してみようとする気になるので、自分にあった枕が選び出せる可能性が増大する。
【００１３】
また、上記の計測器付の椅子型の頭部形状測定器によって得られた測定値に基づいて枕の品揃えを行うようにすれば、被験者が自己の測定値に適した枕を簡単に選択することができ、さらに前記のリクライニング可能な枕使用状態体感用椅子を利用すれば、さらに適切な枕選びができるので便利である。
【発明を実施するための最良の形態】
【００１４】
以下に、本発明に係る好適な実施例を図面に基づいて詳細に説明する。図１〜図４に示す実施例１は計測器付の椅子型の頭部形状測定器の実施例であり、図５及び図６に示す実施例２はリクライニング可能な枕使用状態体感用椅子の実施例であり、図７に示す実施例３は販売の際に使用する枕選択用の表の実施例である。
【実施例１】
【００１５】
図１は本実施例に係る計測器付の椅子型の頭部形状測定器の椅子の部分に関する概略図であって、（ａ）は側面図、（ｂ）は正面図であり、図２は本実施例に係る計測器の概略図であって、（ａ）は平面図、（ｂ）は正面図、（ｃ）は側面図であり、図３は図１に示す椅子と図２に示す計測器を組合せた模式図であって、その使用方法を示す模式図であり、図４は計測器付の椅子型の頭部形状測定器の使用状態を示す模式図であって、（ａ）は側面図、（ｂ）は表示装置に映し出された画像の正面図である。
【００１６】
本発明に係る計測器付の椅子型の頭部形状測定器Ａは、椅子１０と該椅子１０に設置される計測器２０とから構成される。
【００１７】
椅子１０は、図１に示されるように、背もたれ部１１と座部１５とからなる。そして、椅子１０の背もたれ部１１には、後述する計測器２０の各進退軸の先端が、背もたれ部１１の前方に突出して椅子１０に座った被験者の後頭部及び頸椎部に接触するように進退軸用貫通溝１２が形成されている。
【００１８】
計測器２０は、図２に示されるように、後頭部測定用進退軸３０と頸椎部測定用進退軸４０と表示装置５０とを備えている。
【００１９】
後頭部測定用進退軸３０は、身体の後頭部に接触する先端３１を備えており、該先端３１は身体の後頭部の突出部を測定しやすいように軸心方向が身体の後頭部を向く円板状をなしており、バネなどの伸縮部材を配することにより先端３１が身体の後頭部を押圧する方向に付勢力が働くようになっている。また、後頭部測定用進退軸３０の基部３２には該進退軸の変位を検知する位置検出器３３が配されており、該位置検出器３３により検知された後頭部測定用進退軸３０の変位、すなわち、椅子の背もたれ部と後頭部との距離に関する先端３１の進退変位を電気信号に変換して表示装置５０に発信し、表示装置５０は、椅子の背もたれ部と後頭部との距離に関する変位を表示する仕組みになっている。
【００２０】
一方、頸椎部測定用進退軸４０は、身体の頸椎部に接触する先端４１を備えており、該先端４１は、径方向が身体の頸椎部に向く水平方向の丸棒状をなしており、バネなどの伸縮部材を配することにより先端４１が身体の後頭部を押圧する方向に付勢力が働くようになっている。頸椎部測定用進退軸４０の基部４２には該進退軸の変位を検知する位置検出器４３が配されており、該位置検出器４３により検知された頸椎部測定用進退軸４０の変位、すなわち、椅子の背もたれ部とと頸椎部との距離に関する先端４１の進退変位を電気信号に変換して表示装置５０に発信し、表示装置５０は、椅子の背もたれ部と頸椎部との距離に関する変位を表示する仕組みになっている。
【００２１】
なお、上記の後頭部測定用進退軸３０及び頸椎部測定用進退軸４０は一体として上下動し、また、個別に独立して上下動する。
【００２２】
表示装置５０は、上記の後頭部測定用進退軸３０及び頸椎部測定用進退軸４０と電線ケーブルＣにて接続されており、その表示部５１が被験者の前方に位置するように設置される。そして、後頭部測定用進退軸３０から発信された先端３１の進退変位を表す電気信号が表示部５１上のインジケーター５２に表示され、該進退変位が後頭部と椅子１０の背もたれ部１１との距離に換算されて量的及び数値的に目視し得るようになっている。また、頸椎部測定用進退軸４０から発信された先端４１の進退変位を表す電気信号が表示部５１上のインジケーター５３に表示され、該進退変位が頸椎部と椅子１０の背もたれ部１１との距離に換算されて量的及び数値的に目視し得るようになっている。これらの数値結果は、枕により隙間が埋められる身体の後頭部の高さと頸椎部の高さ、すなわち枕における後頭部か位置する中央部の高さと頸椎が位置する箇所の高さとの正確な測定値となる。
【００２３】
上記のように構成したことにより、被験者は椅子１０に座って測定できるので、気楽に測定し得る利点がある。また、被験者は、椅子の背もたれ部１１から突出する後頭部測定用進退軸３０の先端３１と頸椎部測定用進退軸４０の先端４１とを身体の後頭部及び頸椎部にそれぞれあてがい、表示装置５０に映し出された椅子の背もたれ部と後頭部との距離及び椅子の背もたれ部と頸椎部との距離に関する各進退軸の変位を見ながら自己の適度な位置に調整することができる。これにより自己にとって適正な測定値を読み取ることができる。そして、この測定値によって、自己の適性な枕を選択することができる。また、この測定値によって被験者に合わせた適正な枕を設計することができる。
【実施例２】
【００２４】
図５は本実施例に係るリクライニング可能な枕使用状態体感用椅子の概略図であって、（ａ）は正面図、（ｂ）は側面図であり、図６は本実施例に係るリクライニング可能な枕使用状態体感用椅子の使用状態を示す概略側面図である。
【００２５】
本発明に係る枕使用状態体感用椅子Ｂは、図５に示されるように、背もたれ部１１０と座部１３０とから構成され、背もたれ部１１０から座部１３０にかけてクッション材１１１、１３１が付設されている。背もたれ部１１０は、回転軸部１１５により起立状態から後方に傾斜して、停止するように構成されている。また、座部１３０の両側には、被験者が座ったり、立ち上がったり、また、起き上がったりすることが楽なように手すりとなる肘当て１５０が設けられている。
【００２６】
前記背もたれ部１１０は、図６に示されるように、回転軸部１１５により起立状態から後方に傾斜して、停止するように構成されており、前記背もたれ部１１０の上半部１１２である身体の頭部当接位置付近には、滑り止め材として凹凸を有するシート１１３が設けられており、後述するように、枕の使用状態の体感中に枕がずり下がらないようになっている。なお、滑り止め材としては、前記のように凹凸を有するシート以外に摩擦係数の高いシートを付設してもよい。
【００２７】
そして、本実施例に係る枕使用状態体感用椅子Ｂは、図６に示すように、被験者が実施例１に示す測定器により得られた測定値に基づいて選択した枕や適当な枕Ｐを選択して、背もたれ部１１０における身体の頭部当接位置付近に当該枕Ｐをあてがって、被験者は自己の後頭部を枕Ｐに押し付け、その状態で背もたれ部１１０を傾斜させていく。そうすると、後頭部が枕に及ぼす荷重を実感しながら、当該枕Ｐが自己にとって適切なものであるか否かを実際に体感することにより判断することができる。
【００２８】
このように本実施例に係るリクライニング可能な枕使用状態体感用椅子を構成したことにより、適当な試験用枕Ｐを後頭部の後にあてがい、背もたれ部１１０を傾斜させて枕の使用状態を体感し、その実際上の感触により該試験用枕が自己にとって適切か否かを判断する。そして、実施例１で述べた計測器付の椅子型の頭部形状測定器Ａを使用して適切な枕を選択し、本実施例に係る枕使用状態体感用椅子Ｂを使用して、自己にとって適性な枕であるか否かを判断するようにすればより一層適切な枕が選択できる。
【実施例３】
【００２９】
図７は、枕の販売の際に使用する枕選択用の表の１例である。この表において、縦方向には、枕の高さが表示されており、横方向には枕の柔らかさが表示されている。そして、この表に合わせて枕を品揃えしておくと、例えば枕の高さが４ｃｍで柔らかい枕が好みの場合は、この表に基づいてその好みの枕が並べてある商品棚で適切な枕を選択すればよい。
【００３０】
このような表を店内に表示しておき、実施例１の計測器付の椅子型の頭部形状測定器Ａによって得られた測定値に基づき、枕の品揃えを行うようにすれば、被験者が自己の測定値に適した枕を簡単に選択することができ、実施例２のリクライニング可能な枕使用状態体感用椅子を使用して実際に枕の使用状態を体感すれば、より一層自己に適合した枕を選択できるので便利である。
【図面の簡単な説明】
【００３１】
【図１】本発明の実施例１に係る計測器付の椅子型の頭部形状測定器の椅子の部分に関する概略図であって、（ａ）は側面図、（ｂ）は正面図である。
【図２】本発明の実施例１に係る計測器の概略図であって、（ａ）は平面図、（ｂ）は正面図、（ｃ）は側面図である。
【図３】図１に示す椅子と図２に示す計測器を組合せた模式図であって、その使用方法を示す模式図である。
【図４】本発明の実施例１に係る計測器付の椅子型の頭部形状測定器の使用状態を示す模式図であって、（ａ）は側面図、（ｂ）は表示装置に映し出された画像の正面図である。
【図５】本発明の実施例２に係るリクライニング可能な枕使用状態体感用椅子の概略図であって、（ａ）は正面図、（ｂ）は側面図である。
【図６】本発明の実施例２に係るリクライニング可能な枕使用状態体感用椅子の使用状態を示す概略側面図である。
【図７】本発明の実施例３に係る枕の販売の際に使用する枕選択用の表である。
【符号の説明】
【００３２】
Ａ・・・計測器付の椅子型の頭部形状測定器
１０・・椅子
１１・・背もたれ部
１２・・進退軸用貫通溝
１５・・座部
２０・・計測器
３０・・後頭部測定用進退軸
３１・・後頭部測定用進退軸の先端
３２・・後頭部測定用進退軸の基部
３３・・位置検出器
４０・・頸椎部測定用進退軸
４１・・後頭部測定用進退軸の先端
４２・・後頭部測定用進退軸の基部
４３・・位置検出器
５０・・表示装置
５１・・表示部
５２・・後頭部に関するインジケーター
５３・・頸椎部に関するインジケーター
Ｂ・・・リクライニング可能な枕使用状態体感用椅子
Ｃ・・・電線ケーブル
Ｐ・・・試験用枕
１１０・背もたれ部
１１１・クッション材
１１２・背もたれ部の上半部
１１３・凹凸を有するシート（滑り止め材）
１１５・回転軸部
１３０・座部
１３１・クッション材
１５０・肘当て
【図１】
2005137597.tif 000003
【図２】
2005137597.tif 000004
【図３】
2005137597.tif 000005
【図４】
2005137597.tif 000006
【図５】
2005137597.tif 000007
【図６】
2005137597.tif 000008
【図７】
2005137597.tif 000009